(57)【要約】      （修正有）【課題】撮りなおしや連写で取得した複数の画像を手間をかけずに比較検討することが可能な画像表示装置を提供する。【解決手段】記録再生装置１００において、複数の画像を取得する画像取得手段１０１、１０２と、画像を撮影した時の撮影パラメータを取得する撮影パラメータ取得手段１０５と、複数の画像間の画像差分を抽出する画像差分抽出手段１０７と、複数の画像間の撮影パラメータの差分を抽出する撮影パラメータ差分抽出手段１０８と、画像差分または撮影パラメータの差分のうち、少なくとも一方の差分を評価する差分評価手段１０９と、複数の画像から画像を比較表示する画像比較表示手段１１０とを有する。画像比較表示手段は、差分評価手段の評価結果に基づいて画像の比較表示を行う。【選択図】図１
2019134209.tif 000002
【特許請求の範囲】
【請求項１】
複数の画像を取得する画像取得手段と
画像を撮影した時の撮影パラメータを取得する撮影パラメータ取得手段と
前記複数の画像間の画像差分を抽出する画像差分抽出手段と
前記複数の画像間の撮影パラメータの差分を抽出する撮影パラメータ差分抽出手段と
前記画像差分または前記撮影パラメータの差分のうち、少なくとも一方の差分を評価する差分評価手段と
前記複数の画像から画像を比較表示する画像比較表示手段と
を有し、
前記画像比較表示手段は
前記差分評価手段の評価結果に基づいて画像の比較表示を行う
ことを特徴とする
画像比較表示装置。
【請求項２】
請求項１に記載の画像比較表示装置において、さらに
前記画像比較表示手段は
前記複数画像のうち２枚について画像比較表示を行う
ことを特徴とする
画像比較表示装置。
【請求項３】
請求項２に記載の画像比較表示装置において、さらに
前記差分評価手段は
撮影パラメータ・画像差分のうち、最も主要な差分たる代表差分を決定し
前記画像比較表示手段は
前記代表差分の種類に応じて画像表示を行う
ことを特徴とする
画像比較表示装置。
【請求項４】
請求項３に記載の画像比較表示装置において、さらに
前記画像比較表示手段は
前記差分評価手段が決定した代表差分の種類が撮影パラメータの露出値であった場合、
２枚の画像を全画角で並べて比較表示する
ことを特徴とする
画像比較表示装置。
【請求項５】
請求項３に記載の画像比較表示装置において、さらに
前記画像比較表示手段は
前記差分評価手段が決定した代表差分の種類が撮影パラメータのフォーカス位置であった場合、
２枚の画像のフォーカス位置付近を拡大して並べて比較表示する
ことを特徴とする
画像比較表示装置。
【請求項６】
請求項３に記載の画像比較表示装置において、さらに
前記画像比較表示手段は
前記差分評価手段が決定した代表差分の種類が撮影パラメータの手ブレ量であった場合、
２枚の画像のフォーカス位置付近を拡大して並べて比較表示する
ことを特徴とする
画像比較表示装置。
【請求項７】
請求項３に記載の画像比較表示装置において、さらに
前記画像比較表示手段は
前記差分評価手段が決定した代表差分の種類が画像間の構図の傾きであった場合、
２枚の画像の全画角を格子状のグリッド線付きで比較表示する
ことを特徴とする
画像比較表示装置。
【請求項８】
請求項３に記載の画像比較表示装置において、さらに
前記画像比較表示手段は
前記差分評価手段が決定した代表差分の種類が画像間の構図のパンニングであった場合、
１枚表示で２つの画像を切り替えて比較表示する
ことを特徴とする
画像比較表示装置。
【請求項９】
請求項１乃至８のいずれか１項に記載の画像比較表示装置において、さらに
前記画像比較表示手段は画像の比較表示時に前記代表差分の種類を表示する
ことを特徴とする
画像比較表示装置。
【請求項１０】
請求項２に記載の画像比較表示装置において、さらに
前記画像比較表示手段における比較表示方法をユーザに選択させる比較表示選択手段を有し、
前記差分評価手段は撮影パラメータ・画像差分を重要度に応じて順位付けを行い、
前記比較表示手段は前記順位付け結果に応じて比較表示選択肢の表示順序を変える
ことを特徴とする
画像比較表示装置。
【発明の詳細な説明】
【技術分野】
【０００１】
本発明は、撮りなおしや連写で取得した複数の画像を比較するための画像表示装置に関する。
【背景技術】
【０００２】
近年、フラッシュメモリを利用した記録媒体の大容量化が進んでおり、こうした記録媒体を利用したデジタルカメラにおいては、撮影枚数を気にすることなく撮影されるようになってきている。このような状況では連写したり設定を変えて撮りなおしたりすることが多くなり、結果として同じような構図の大量の写真が得られるため、保存や印刷に用いる画像を選定する作業に手間がかかるようになってきている。
【０００３】
ユーザが画像を比較・選定する場合、比較対象画像の撮影時のパラメータや画像の差分がどこにあるかによって注目する箇所が変わる。そのため、例えばパーソナルコンピュータ（ＰＣ）上などで比較のための画像表示において、以下のような操作を行うことが考えられる。
【０００４】
（１）露出を変えて撮りなおしをした場合
画像全体を並べて表示
（２）フォーカス距離を僅かに変えて撮りなおした場合
フォーカス位置近傍を拡大して並べて表示
（３）構図を変えて撮りなおした場合
１枚を全画角で表示し、表示対象画像を切り替えながら検討
このような操作を行うにしても、ユーザはまず撮影パラメータや画像の差分を把握するところから始めなければならず、大量の画像を比較検討するには膨大な手間を要する。
【０００５】
このような課題に対して、特許文献１では予め決められた条件に合致する複数枚の画像を１つの画像群として扱う統括手段と、前記画像群毎に少なくとも１枚の代表画像を選択するという技術について開示されている。この技術によれば、同じような構図の画像を自動でグルーピングして、かつ出来栄えの良い写真を自動で選んで提示するような装置を提供することが可能となる。
【先行技術文献】
【特許文献】
【０００６】
【特許文献１】特開２０１５−８３８５号公報
【発明の概要】
【発明が解決しようとする課題】
【０００７】
しかし、特許文献１の方法では出来栄えの良いとされる画像を自動で選択しているために、ユーザが自分で画像を選択したいケースには適用することができない。
【課題を解決するための手段】
【０００８】
そこで本発明では、ユーザが自分で画像を比較選定する際に、撮影パラメータや画像の差分に応じて様々な比較表示方法を設定しなくても、適切な比較表示を行うことが可能な画像比較表示装置を提供することを目的とする。
【０００９】
すなわち、画像比較表示装置において、
複数の画像を取得する画像取得手段と
画像を撮影した時の撮影パラメータを取得する撮影パラメータ取得手段と
前記複数の画像間の画像差分を抽出する画像差分抽出手段と
前記複数の画像間の撮影パラメータの差分を抽出する撮影パラメータ差分抽出手段と
前記画像差分または前記撮影パラメータの差分のうち、少なくとも一方の差分を評価する差分評価手段と
前記複数の画像から画像を比較表示する画像比較表示手段と
を有し、
前記画像比較表示手段は
前記差分評価手段の評価結果に基づいて画像の比較表示を行う
ことを特徴とする。
【発明の効果】
【００１０】
本発明によると、撮りなおしや連写で取得した複数の画像を手間をかけずに比較検討することが可能な画像表示装置を提供することができる。
【図面の簡単な説明】
【００１１】
【図１】第１および第２の実施例における構成図である
【図２】第１および第２の実施例において画像比較表示のための１枚目の画像選択ＵＩ表示の例を示す図である
【図３】第１および第２の実施例において画像比較表示のための２枚目の画像選択ＵＩ表示の例を示す図である
【図４】第１および第２の実施例において画像比較表示の処理の流れを示す図である
【図５】第１および第２の実施例において代表差分から比較表示方法を決定するための処理の流れを示す図である
【図６】第１の実施例において代表差分が画像間の回転であった場合の比較表示例を示す図である
【図７】第１の実施例において代表差分が画像間の並進であった場合の比較表示例を示す図である
【図８】第１の実施例において代表差分がフォーカス距離であり、かつフォーカス距離の差分が一定以下であった場合の比較表示例を示す図である
【図９】第１の実施例において代表差分がフォーカス距離であり、かつフォーカス距離の差分が一定を超えた場合の比較表示例を示す図である
【図１０】第１の実施例において代表差分が露出であった場合の比較表示例を示す図である
【図１１】第１の実施例において差分評価結果が差分過多であった場合の比較表示例を示す図である
【図１２】第１の実施例において代表差分がなかった場合の比較表示例を示す図である
【図１３】第２の実施例における比較表示例を示す図である
【図１４】第３の実施例における構成図である
【図１５】第３の実施例において再生表示の処理の流れを示す図である
【図１６】第３の実施例において再生対象がフォーカスブラケット撮影された画像であった場合の再生表示例を示す図である
【図１７】第３の実施例において再生対象が露出ブラケット撮影された画像であった場合の再生表示例を示す図である
【発明を実施するための形態】
【００１２】
［実施例１］
以下に、本発明の好ましい実施の形態を、添付の図面に基づいて詳細に説明する。
【００１３】
図１は、本発明の実施例における記録再生装置１００の構成図である。この記録再生装置は光学系１０１、撮像部１０２、手ぶれ補正制御部１０３、画像取得部１０４、撮影パラメータ取得部１０５、ワークメモリ１０６、画像間並進・回転推定部１０７、撮影パラメータ差分抽出部１０８、差分評価部１０９、画像比較表示制御部１１０、操作・表示部１１１、ＪＰＥＧ  ＣＯＤＥＣ１１２、ＣＰＵ（中央演算処理装置）１１３および記録部１１４からなる。
【００１４】
光学系１０１は撮影時に被写体像を取りこんで結像させるものであり、手ぶれを補正する補正光学系（図示しない）を有する。撮像部１１０はイメージセンサー・画像処理部（いずれも図示しない）を有し、光学系１０１を通してイメージセンサー上に結像した被写体像を撮影し光電変換と画像処理を行う。手ぶれ補正制御部１０３は手ぶれ量を検出する手ぶれ検出部（図示しない）を有し、光学系１０１が有する補正光学系の動作を制御することで手ぶれ補正を行う。
【００１５】
また、撮影時の手ぶれ量が多い場合に補正光学系によって補正しきれなかった手ぶれ量（手ぶれ補正残り量）を算出する機能を有する。画像取得部１０４は記録部１１４に記録された画像データを取得する。撮影パラメータ取得部１０５は記録部１１４に記録された画像データの撮影時のパラメータを取得する。ワークメモリ１０６は画像データなどを処理する際の作業用メモリである。画像間回転・並進推定部１０７は２枚の画像を比較して画像間の回転・並進量を推定するものである。
【００１６】
撮影パラメータ差分抽出部１０８は２枚の画像に対する撮影時のパラメータを取得してその差分を抽出する。差分評価部１０９は画像間回転・並進推定部１０７および撮影パラメータ差分抽出部１０８が抽出した画像や撮影パラメータの差分を比較評価する。画像比較表示制御部１１０はユーザが画像を比較するための表示ＵＩを制御する。操作・表示部１１１は物理ボタンとタッチパネル式のＬＣＤ（図示しない）を有し、画像やＵＩを表示するほか、物理ボタンやタッチパネルのタッチによるＵＩ操作を行う。ＪＰＥＧ  ＣＯＤＥＣ１１２は画像データを圧縮・伸張する。ＣＰＵ１１３はソフトウェアによる処理を行う。記録部１１４は不揮発性メモリ（図示しない）を有しており、画像データや画像データの撮影パラメータを記録・再生する。
【００１７】
（記録機能）
記録再生装置１００は静止画の記録機能を有する。記録時、撮像部１０２によって取得された画像データはＪＰＥＧ  ＣＯＤＥＣ１１２によってエンコードされた後、記録部１１４に記録される。画像データを記録する際、その画像データを撮影した時の設定など（撮影パラメータ）を記録する。撮影パラメータはシャッター速度、絞り値、画像上のフォーカス位置、フォーカス距離および手ブレ補正残り量を含む。
【００１８】
（再生機能）
また、記録再生装置１００は静止画の再生機能を有する。再生時、画像取得部１０４によって記録部１１４から読み出された画像データはＪＰＥＧ  ＣＯＤＥＣ１１２によってデコードされた後、操作・表示部１１０のＬＣＤに表示される。
【００１９】
（比較表示機能）
記録再生装置１００はまた、記録部１１４から読み出される画像のうち、ユーザが選択した２枚の画像を比較・表示する機能（画像比較表示機能）を有する。画像比較表示機能においては２枚の画像の撮影パラメータや画像自体の差分から比較に適した表示方法を自動で選択して表示を行う。ユーザは比較検討の結果を踏まえ、この比較表示の画面上で各々の画像のレーティングのスコアを変更することができる。
【００２０】
（画像間の回転・並進推定）
画像間並進・回転推定部１０７は画像比較表示機能に用いるための画像間の差分として回転と並進量の推定を行う。並進については２枚の画像の一方を並行移動することによって両者が一致するような移動量、回転については２枚の画像の一方を回転することによって両者が一致するような回転角度を推定する。また、これらの推定量に対して、それぞれ信頼度を算出する。例えば相関のない２枚の画像のように回転や移動によって一致しない場合、回転・並進量の推定を行った結果の信頼度は低くなる。回転・並進それぞれについて信頼度が一定以上の場合に推定した差分量を出力し、そうでない場合は差分量ゼロという結果を出力する。
【００２１】
（画像比較表示機能の詳細）
画像比較表示を行う際の画像比較表示制御部１１０が行う処理の流れについて説明する。まず、選択する２枚の画像の選択処理が行われる。画像選択操作は操作・表示部１１１が有するタッチパネル式ＬＣＤ上のＵＩで行われる。
【００２２】
画像比較表示機能において、ユーザはまず、比較の基準となる１枚の画像を選択する。さらに比較対象とするもう１枚の画像を選択すると選択した２枚の画像について比較表示が行われる。画像選択用の画像の表示は再生機能を用いて行う。
【００２３】
図２に１枚目の画像選択のＵＩ表示例２００を示す。これは画像一覧２０１のうえでユーザが所望の画像２０２をタッチして選択している状態を表している。この状態でボタン２０３を押すことで２枚目の画像選択ＵＩに遷移する。なお、ボタン２０４を押すと画像選択をキャンセルして終了することができる。
【００２４】
図３に２枚目の画像選択のＵＩ表示例３００を示す。この図では図２で選択された画像が画像表示３０１で示すように固定で表示されており、一方で比較対象の２枚目の画像を選択するためのＵＩ３０２が表示されている。ＵＩ３０２はタッチ操作によって前後の画像にスクロールすることができる。所望の画像が中央になるようにスクロールした後、ボタン３０３を押すことで画像の比較表示が行われる。なお、ボタン３０４を押すと１枚目の選択画面に戻ることができる。以上のＵＩ操作によって比較する２枚の画像が選択される。
【００２５】
（代表差分に基づく例）
選択した２枚の画像を比較表示するまでの処理の流れを図４に示す。まず画像取得部１０４が記録部１１４から２枚の画像を読み出し、ＪＰＥＧ  ＣＯＤＥＣ１１２でデコードされた後、ワークメモリ１０６に格納する（図４Ｓ４０１）。次に撮影パラメータ取得部１０５が記録部１１４から２枚の画像に対応する撮影パラメータを読み出し、ワークメモリ１０６に格納する。撮影パラメータ差分抽出部１０８が２枚の画像の撮影パラメータの差分を抽出する（図４Ｓ４０３）。画像間並進・回転推定部１０７が２枚の画像間の並進・回転を推定する（図４Ｓ４０４）。
【００２６】
差分評価部１０９は撮影パラメータ及び画像間の並進・回転量を評価し、これらの中から最も主要な差分（代表差分）を決定する（図４Ｓ４０５）。決定された代表差分に基づいて操作・表示部１１１のＬＣＤに２枚の画像の比較表示を行う（図４Ｓ４０６）。
【００２７】
（差分の重み付け）
画像間並進・回転推定部１０７、撮影パラメータ差分抽出部１０８が行う差分の抽出の詳細について説明する。代表差分を決定するには異なる差分間の比較が必要となるが、比較対象となる撮影パラメータや画像間の並進・回転量は次元の異なる量であり、それらの大小を単純に比較することはできない。また、例えばフォーカス距離を被写体までの距離で表現した場合、至近端から無限遠までの距離を扱うことになり、比較に適さない。こうしたことを鑑みて、本実施例では差分の種類に応じて以下のように数値化する。
【００２８】
画像間並進・回転推定部１０７は画像間の並進の差分として画像間の並進量のピクセル数を、回転の差分として画像間の回転角度(degree)で数値化する。また、撮影パラメータ差分抽出部１０８は露出の差分として露光時間の比の対数を取ったもの、手ぶれ補正残りの差分として補正残り成分の大きさを画像上の画素数換算にしたものの差、フォーカス距離の差分としてフォーカスレンズの駆動モーターの回転位置を至近端〜無限遠までの範囲で正規化したものの差として数値化する。
【００２９】
（差分の比較〜比較表示）
以上のように数値化された各種差分量に対して、差分評価部１０９は予め定められた重み付け係数を乗じて比較を行う。
各種差分を
2019134209.tif 000003
【００３０】
と表し、対応する重み付け係数を 
2019134209.tif 000004
【００３１】
と記述する。iの値の範囲は（差分の種類の個数−１）までである。このとき、
2019134209.tif 000005
【００３２】
の値が最大となるようなi番目の差分を代表差分とする。但し、代表差分以外の差分量が多いようなケースでは代表差分のみに注目して比較するのは適切とは言えないため、
2019134209.tif 000006
が一定値を超える場合は差分過多という結果を出力する。
【００３３】
画像比較表示制御部１１０は差分評価部１０９の出力結果に応じた比較表示方法を選択し、操作・表示部１１１のＬＣＤに比較表示を行う。図５を用いて説明する。画像が同一など代表差分がない場合（図５ＳＳ５０１Ｎｏ）、デフォルトの比較表示方法である「全画面で並べて表示」を行う（図５ＳＳ５１１）。代表差分がある場合（図５ＳｔｅｐＳ５０１Ｙｅｓ）、差分過多であれば（図５ＳＳ５０２Ｎｏ）、デフォルトの比較表示を行う（図５Ｓ５１１）。代表差分が画像間の回転である場合、（図５Ｓ５０３Ｙｅｓ）、グリッド補助線付きで全画角を並べて表示する（図５Ｓ５０４）。
【００３４】
代表差分が画像間の並進である場合（図５Ｓ５０３Ｎｏ、図５Ｓ５０５Ｙｅｓ）、全画角で１枚表示を行い、ユーザが画像を切替可能とする（図５Ｓ５０６）。代表差分が手ぶれの補正残りである場合（図５Ｓ５０５Ｎｏ、図５Ｓ５０７Ｙｅｓ）、フォーカス位置付近を拡大して比較表示を行う（図５Ｓ５０８）。
【００３５】
代表差分がフォーカス位置であり、かつフォーカス距離の差が所定値以下の場合（図５Ｓ５０７Ｎｏ、Ｓ５０９Ｙｅｓ、Ｓ５１０Ｙｅｓ）についても同様にフォーカス位置付近を拡大して比較表示を行う（図５Ｓ５０８）。
【００３６】
代表差分がフォーカス位置であり、かつフォーカス距離の差が所定値を超える場合（図５Ｓ５０７Ｎｏ、Ｓ５０９Ｙｅｓ、図５Ｓ５１０Ｎｏ）については全画角で並べて表示を行う（図５Ｓ５１１）。
【００３７】
上記のいずれの代表差分種別に当てはまらない場合（図５Ｓ５０７Ｎｏ）、例えば露出であった場合は全画角で並べて表示を行う（図５Ｓ５１１）。
【００３８】
（表示例の説明）
上述した各種比較表示の例を示す。図６における比較表示６００は代表差分が画像間の回転であった場合の比較表示例である。画像表示６０１では２枚の画像を全画角で並べて表示しており、傾きが分かりやすいようにグリッドが重畳される。またファイル名表示６０２、レーティング表示６０３、差分種別表示６０４の情報が表示されている。レーティング表示６０３はタッチすることでスコアを変更することができる。また代表差分表示６０４において代表差分の種類を表示している。ボタン６０５を押すことで画像選択画面に戻ることができる。このような表示によってどちらの画像が水平や垂直を取れているかを容易に確認することができる。
【００３９】
図７における比較表示７００および７１０は代表差分が画像間の並進であった場合の比較表示例である。この場合、比較表示７００と７１０にはそれぞれ１枚目の画像７０１と２枚目の画像７１１が全画角で表示されており、ユーザはお互いに切り替えながら比較することができる。比較表示７００においては１枚目のファイル名７０２が枠付きで表示されており、この画像が表示されていることを示している。ここでユーザが２枚目のファイル名７０３をタッチすると比較表示７１０に切り替わり、２枚目の画像が表示される。
【００４０】
レーティング表示７０４・７１４、差分種別表示７０５・７１５およびボタン７０６・７１６については図６と同様である。このような表示によって大きな表示で構図を確認しながら比較検討を行うことができる。
【００４１】
図８における比較表示８１０は比較対象の１枚目の画像が８００、２枚目の画像が８１０として、代表差分がフォーカス距離、かつフォーカス距離の差が一定以下であった場合の比較表示例である。８０２は画像８００における撮影時のフォーカス位置を示しており、画像表示８１１ではこのフォーカス位置付近を拡大したうえで並べて表示される。ファイル名表示８１２、レーティング表示８１３、差分種別表示８１４およびボタン８１５については図６と同様である。このような表示によってわずかなフォーカスの差であっても容易に確認し比較することができる。
【００４２】
図９における比較表示８１０は代表差分がフォーカス距離、かつフォーカス距離の差が一定値より大きかった場合の比較表示例である。画像表示９０１では全画角の画像を並べて表示している。ファイル名表示９０２、レーティング表示９０３、差分種別表示９０４およびボタン９０５については図６と同様である。このような表示によってフォーカスの違いによる画像の印象の違いを容易に比較検討することができる。
【００４３】
図１０における比較表示１０００は代表差分が露出であった場合の比較表示例である。画像表示１００１では全画角の画像を並べて表示している。ファイル名表示１００２、レーティング表示１００３、差分種別表示１００４およびボタン１００５については図６と同様である。このような表示によって露出の違いを容易に確認することができる。
【００４４】
図１１における比較表示１１００は代表差分が露出であった場合の比較表示例である。画像表示１１０１では全画角の画像を並べて表示している。ファイル名表示１１０２、レーティング表示１１０３、差分種別表示１１０４およびボタン１１０５については図６と同様であるが、差分種別表示としては差分が多数ある旨が表示される。
【００４５】
図１２における比較表示１２００は代表差分がなかった場合の比較表示例である。画像表示１２０１では全画角の画像を並べて表示している。ファイル名表示１２０２、レーティング表示１２０３、差分種別表示１２０４およびボタン１２０５については図６と同様であるが、差分種別表示としては差分がない旨が表示される。
【００４６】
以上のように画像間の撮影パラメータの違いや画像そのものの違いを反映した比較表示を行うことによって、ユーザは効率的に画像を比較検討することができる。
【００４７】
［実施例２］（ユーザに表示方法を選択させる例）
次に本発明における第２の実施例について説明する。第２の実施例における記録再生装置１００の構成は第１の実施例と同じである。
【００４８】
以下、第１の実施例との差分について説明する。比較表示機能において、２枚の画像を選択する処理までは第１の実施例と同じである。
【００４９】
本実施例では比較表示機能においてユーザが表示方法を選択することができる。画像比較表示制御部１１０はユーザに表示方法の選択肢を表示するが、その表示順序は差分評価部１０９の評価結果に応じて決められる。すなわち、より主要な差分に対応する表示方法ほど上位の選択肢とする。複数の差分種別に対して同じ比較表示方法となる場合は最も上位の差分種別位置を適用する。
【００５０】
具体的な比較表示例を図１３に示す。比較表示１３００上には画像表示１３０１、ファイル名表示１３０２、レーティング表示１３０３、比較表示方法選択ＵＩ１３０４、戻るボタン１３０５が表示されている。比較表示方法選択ＵＩ１３０４上には画像の差分評価結果に応じた比較表示方法が主要なものほど上位に表示されている。また差分の種類についても表示されている。ユーザはこの表示上をタッチすることで所望の比較表示方法を選択することができる。
【００５１】
上記のとおりにすることで、複数種類の差分があるような画像の比較においても差分の種類に応じた比較表示を行うことが可能な記録再生装置を提供することができる。
【００５２】
［実施例３］
以下に、本発明の好ましい別の実施形態を、添付の図面に基づいて詳細に説明する。
【００５３】
図１４は、本発明の実施例における記録再生装置１４００の構成図である。この記録再生装置は光学系１４０１、撮像部１４０２、画像取得部１４０３、撮影パラメータ取得部１４０４、ワークメモリ１４０５、再生制御部１４０６、操作・表示部１４０７、ＪＰＥＧ  ＣＯＤＥＣ１４０８、ＣＰＵ（中央演算処理装置）１４０９および記録部１４１０からなる。
【００５４】
光学系１４０１は撮影時に被写体像を取りこんで結像させるものである。撮像部１４０１はイメージセンサー・画像処理部（いずれも図示しない）を有し、光学系１４０１を通してイメージセンサー上に結像した被写体像を撮影し光電変換と画像処理を行う。画像取得部１４０３は記録部１４１０に記録された画像データを取得する。撮影パラメータ取得部１４０４は記録部１４１０に記録された画像データの撮影時のパラメータを取得する。ワークメモリ１４０５は画像データなどを処理する際の作業用メモリである。
【００５５】
再生制御部１４０６は記録部１４１０に記録された画像を操作・表示部１１１に再生表示するための制御を行う。操作・表示部１４０７は物理ボタンとタッチパネル式のＬＣＤ（図示しない）を有し、画像やＵＩを表示するほか、物理ボタンやタッチパネルのタッチによるＵＩ操作を行う。ＪＰＥＧ  ＣＯＤＥＣ１４０８は画像データを圧縮・伸張する。ＣＰＵ１４０９はソフトウェアによる処理を行う。記録部１４１０は不揮発性メモリ（図示しない）を有しており、画像データや画像データの撮影パラメータを記録・再生する。
【００５６】
（記録機能）
記録再生装置１４００は静止画の記録機能を有する。１枚撮影の通常の静止画のほか、フォーカス及び露出のブラケット撮影機能を有する。これはフォーカスまたは露出を変えながら連続３枚の撮影を行うものである。
【００５７】
記録時、撮像部１４０２によって取得された画像データはＪＰＥＧ  ＣＯＤＥＣ１４０８によってエンコードされた後、記録部１４１０に記録される。画像データを記録する際、その画像データを撮影した時の設定など（撮影パラメータ）を記録する。ブラケット撮影された３枚の画像はブラケットの種類とともにグルーピングされて記録される。撮影パラメータはシャッター速度、絞り値、画像上のフォーカス位置及びフォーカス距離を含む。
【００５８】
（再生機能）
また、記録再生装置１００は静止画の再生機能を有する。再生時、画像取得部１０４によって記録部１１４から読み出された画像データはＪＰＥＧ  ＣＯＤＥＣ１１２によってデコードされた後、操作・表示部１１０のＬＣＤに表示される。通常、再生は画像が１枚ずつ全画面で表示されるが、ブラケット撮影されてグルーピングされた３枚の画像については比較検討可能なように１つの画面で３画像を表示する。
【００５９】
（再生処理の詳細）
図１５を用いて再生制御部１４０６の再生処理の詳細について説明する。再生時に再生対象の画像が選択されると、撮影パラメータ取得部１４０４によって撮影パラメータが取得される（図１５Ｓ１５０１）。撮影パラメータにはブラケット撮影種別が含まれる。次に画像取得部１４０３によって画像が取得されワークメモリ１４０５に展開される（図１５Ｓ１５０２）。
【００６０】
ブラケット撮影であった場合、連続する３枚分の画像が取得される。再生対象の画像がフォーカスブラケット撮影されたものであった場合（図１５Ｓ１５０３Ｙｅｓ）３枚の画像のフォーカス位置付近を拡大して並べて表示する（図１５Ｓ１５０４）。再生対象が露出ブラケット撮影されたものであった場合（図１５Ｓ１５０３Ｎｏ、同Ｓ１５０４Ｙｅｓ）、３枚の画像を全画角で並べて表示する（図１５Ｓ１５０６）。ブラケット撮影ではない通常の撮影であった場合（図１５Ｓ１５０６Ｎｏ）、１枚を全画角表示で再生する（図１５Ｓ１５０７）。
【００６１】
図１６における比較表示１６１０はフォーカスブラケットされた３枚の画像１６００、１６０１、１６０２に対する再生表示の例を示している。１６０３は撮影時におけるフォーカス位置を示しており、拡大画像表示１６１１ではこのフォーカス位置付近を拡大したうえで並べて表示される。ファイル名表示１６１２、レーティング表示１６１３、４およびボタン８１５については図６と同様である。また、ブラケット種別表示１６１４によって撮影種別が表示されている。拡大画像表示１６１１の３枚の画像のいずれかをタッチすると、全画角表示１６１６にその画像が全画角で表示される。
【００６２】
このような表示によってフォーカスブラケット撮影された画像について、フォーカスの微妙な違いを容易に確認し比較することができる。
【００６３】
図１７における比較表示１７００は露出ブラケットされた３枚の画像に対する再生表示の例を示している。画像表示１７０１では全画角の画像を並べて表示している。ファイル名表示１７０２、レーティング表示１７０３、ブラケット種別表示１７０４およびボタン１７０５については図１６と同様である。このような表示によって露出の違いを容易に確認することができる。
【００６４】
上記のとおりにすることで、異なる種類のブラケット撮影をした静止画が混在している場合でも、ブラケット撮影した一連の画像を容易に比較することが可能な記録再生装置を提供することができる。
【符号の説明】
【００６５】
１００  記録再生装置
１０１  光学系
１０２  撮像部
１０３  手ぶれ補正制御部
１０４  画像取得部
１０５  撮影パラメータ取得部
１０６  ワークメモリ
１０７  画像間並進・回転推定部
１０８  撮影パラメータ差分抽出部
１０９  差分評価部
１１０  画像比較表示制御部
１１１  操作・表示部
１１２  ＪＰＥＧ  ＣＯＤＥＣ
１１３  ＣＰＵ（中央演算処理装置）
１１４  記録部
１４００  記録再生装置
１４０１  光学系
１４０２  撮像部
１４０３  画像取得部
１４０４  撮影パラメータ取得部
１４０５  ワークメモリ
１４０６  再生制御部
１４０７  操作・表示部
１４０８  ＪＰＥＧ  ＣＯＤＥＣ
１４０９  ＣＰＵ（中央演算処理装置）
１４１０  記録部
【図１】
2019134209.tif 000007
【図２】
2019134209.tif 000008
【図３】
2019134209.tif 000009
【図４】
2019134209.tif 000010
【図５】
2019134209.tif 000011
【図６】
2019134209.tif 000012
【図７】
2019134209.tif 000013
【図８】
2019134209.tif 000014
【図９】
2019134209.tif 000015
【図１０】
2019134209.tif 000016
【図１１】
2019134209.tif 000017
【図１２】
2019134209.tif 000018
【図１３】
2019134209.tif 000019
【図１４】
2019134209.tif 000020
【図１５】
2019134209.tif 000021
【図１６】
2019134209.tif 000022
【図１７】
2019134209.tif 000023